(57)【要約】【課題】救命の要否を迅速に判断でき、かつ周囲への報知力を十分に確保できる緊急報知システム及び緊急報知方法を提供する。【解決手段】緊急報知端末１では、ユーザＶの転倒と転倒時の脈拍とに基づいて救命補助装置の使用の要否を判断する。緊急報知端末１の本体部１０は、ユーザＶの体の一部に装着可能に構成されているので、転倒及び脈拍の検出を迅速に事項でき、ユーザＶに対する救命補助装置の使用の要否を速やかに判断できる。また、救命補助装置の使用が必要な場合には、緊急情報と最寄りの救命補助装置の位置情報とを周囲に報知するので、周囲の第三者がその場で緊急事態の発生及び救命補助装置の位置を把握できる。【選択図】図２
2015176438.tif 000002
【特許請求の範囲】
【請求項１】
ユーザの体の一部に装着可能に構成された本体部を備えた緊急報知端末であって、
前記本体部の加速度を検出する加速度検出手段と、
前記ユーザの脈拍を検出する脈拍検出手段と、
前記本体部の位置情報を取得する位置情報取得手段と、
前記加速度検出手段の検出結果に基づいて、前記ユーザが転倒したか否かを判断する転倒判断手段と、
前記転倒判断手段によって前記ユーザが転倒したと判断された場合に、前記脈拍検出手段の検出結果に基づいて、前記ユーザに対する救命補助装置の使用の要否を判断する要否判断手段と、
前記要否判断手段によって前記ユーザに対する前記救命補助装置の使用が必要と判断された場合に、前記救命補助装置の位置情報が予め登録された登録サーバに対し、前記位置情報取得手段によって取得された前記位置情報を送信する位置情報送信手段と、
前記位置情報送信手段による前記位置情報の送信に応じて、最寄りの救命補助装置の位置情報を前記登録サーバから受信する位置情報受信手段と、
前記ユーザに対する前記救命補助装置の使用が必要である旨の緊急情報、及び前記最寄りの救命補助装置の位置情報を周囲に報知する報知手段と、を備えた緊急報知端末。
【請求項２】
前記報知手段は、前記要否判断手段によって前記ユーザに対する前記救命補助装置の使用が必要と判断された場合に、前記最寄りの救命補助装置の位置情報の報知に先立って前記緊急情報の報知を実行する請求項１記載の緊急報知端末。
【請求項３】
前記要否判断手段は、前記報知手段による前記緊急情報及び前記最寄りの救命補助装置の位置情報の報知の後、前記ユーザに対する救命補助装置の使用の要否を再度判断し、
前記報知手段は、前記要否判断手段によって前記ユーザに対する前記救命補助装置の使用が不要と判断された場合に、前記報知手段による前記緊急情報及び前記最寄りの救命補助装置の位置情報の報知を停止する請求項１又は２記載の緊急報知端末。
【請求項４】
前記報知手段による前記緊急情報及び前記最寄りの救命補助装置の位置情報の報知の停止を受け付ける停止受付手段を更に備えた請求項１〜３のいずれか一項記載の緊急報知端末。
【請求項５】
前記報知手段は、前記報知手段による前記緊急情報及び前記最寄りの救命補助装置の位置情報の報知を所定の時間間隔で繰り返し実行する請求項１〜４のいずれか一項記載の緊急報知端末。
【請求項６】
ユーザの体の一部に装着可能に構成された本体部を備えた緊急報知端末による緊急報知方法であって、
前記本体部の加速度を検出する加速度検出ステップと、
前記加速度の検出結果に基づいて、前記ユーザが転倒したか否かを判断する転倒判断ステップと、
前記転倒判断ステップにおいて前記ユーザが転倒したと判断された場合に、前記ユーザの脈拍を検出する脈拍検出ステップと、
前記脈拍の検出結果に基づいて、前記ユーザに対する救命補助装置の使用の要否を判断する要否判断ステップと、
前記要否判断ステップにおいて前記ユーザに対する前記救命補助装置の使用が必要と判断された場合に、前記救命補助装置の位置情報が予め登録された登録サーバに対し、前記本体部の位置情報を送信する位置情報送信ステップと、
前記本体部の位置情報の送信に応じて、最寄りの救命補助装置の位置情報を前記登録サーバから受信する位置情報受信ステップと、
前記ユーザに対する前記救命補助装置の使用が必要である旨の緊急情報、及び前記最寄りの救命補助装置の位置情報を周囲に報知する報知ステップと、を備えた緊急報知方法。
【発明の詳細な説明】
【技術分野】
【０００１】
本発明は、緊急報知端末及び緊急報知方法に関する。
【背景技術】
【０００２】
従来、心停止を起こした人に対し電気的なショックを与えて救命を試みる救命補助装置（自動体外式除細動器：ＡＥＤ）が知られている。現在では、ＡＥＤの普及が進み、医療機関や消防機関のほか、公共施設などを中心にＡＥＤの設置が進められている。ＡＥＤの使用に際しては、救命を必要とする人の周囲にいる人がＡＥＤの設置場所を迅速に把握することが課題となっている。
【０００３】
このような課題に対し、例えば特許文献１に記載の救命救急補助システムでは、ユーザの生体情報とユーザ端末装置の位置情報とを救命救急補助装置に送信し、救命救急補助装置が生体情報から緊急性を判断し、ユーザ端末装置の位置情報に近い第三者端末装置に救命指示情報を送信するようになっている。また、例えば特許文献２に記載のシステムでは、通報者の端末に最も近い場所にあるＡＥＤの設置場所をメールで通知すると共に、設置場所までの経路を地図データに重ね合わせて通報者の端末に送信するようになっている。
【先行技術文献】
【特許文献】
【０００４】
【特許文献１】特開２０１２−２２２４４３号公報
【特許文献２】特開２０１２−０７０３１１号公報
【発明の概要】
【発明が解決しようとする課題】
【０００５】
しかしながら、上述した特許文献１，２のシステムでは、ＡＥＤを使用すべき状況であるか否かの判断に時間を要するという問題がある。また、ＡＥＤを使用すべき状況であると判断された場合の周囲への報知方法にも更なる改良の余地があると考えられる。
【０００６】
本発明は、上記課題の解決のためになされたものであり、救命の要否を迅速に判断でき、かつ周囲への報知力を十分に確保できる緊急報知システム及び緊急報知方法を提供することを目的とする。
【課題を解決するための手段】
【０００７】
上記課題の解決のため、本発明に係る緊急報知端末は、ユーザの体の一部に装着可能に構成された本体部を備えた緊急報知端末であって、本体部の加速度を検出する加速度検出手段と、ユーザの脈拍を検出する脈拍検出手段と、本体部の位置情報を取得する位置情報取得手段と、加速度検出手段の検出結果に基づいて、ユーザが転倒したか否かを判断する転倒判断手段と、転倒判断手段によってユーザが転倒したと判断された場合に、脈拍検出手段の検出結果に基づいて、ユーザに対する救命補助装置の使用の要否を判断する要否判断手段と、要否判断手段によってユーザに対する救命補助装置の使用が必要と判断された場合に、救命補助装置の位置情報が予め登録された登録サーバに対し、位置情報取得手段によって取得された位置情報を送信する位置情報送信手段と、位置情報送信手段による位置情報の送信に応じて、最寄りの救命補助装置の位置情報を登録サーバから受信する位置情報受信手段と、ユーザに対する前記救命補助装置の使用が必要である旨の緊急情報、及び最寄りの救命補助装置の位置情報を周囲に報知する報知手段と、を備える。
【０００８】
この緊急報知端末では、ユーザの転倒と転倒時の脈拍とに基づいて救命補助装置の使用の要否を判断する。緊急報知端末の本体部は、ユーザの体の一部に装着可能に構成されているので、転倒及び脈拍の検出を迅速に事項でき、ユーザに対する救命補助装置の使用の要否を速やかに判断できる。また、救命補助装置の使用が必要な場合には、緊急情報と最寄りの救命補助装置の位置情報とを周囲に報知するので、周囲の第三者がその場で緊急事態の発生及び救命補助装置の位置を把握できる。
【０００９】
また、報知手段は、要否判断手段によってユーザに対する救命補助装置の使用が必要と判断された場合に、最寄りの救命補助装置の位置情報の報知に先立って緊急情報の報知を実行してもよい。この場合、緊急事態の発生を一層速やかに周囲の第三者に報知できる。
【００１０】
また、要否判断手段は、報知手段による緊急情報及び最寄りの救命補助装置の位置情報の報知の後、ユーザに対する救命補助装置の使用の要否を再度判断し、報知手段は、要否判断手段によってユーザに対する救命補助装置の使用が不要と判断された場合に、報知手段による緊急情報及び最寄りの救命補助装置の位置情報の報知を停止してもよい。この場合、ユーザの心拍が回復したときに、自動的に報知を停止させることができる。
【００１１】
また、報知手段による緊急情報及び最寄りの救命補助装置の位置情報の報知の停止を受け付ける停止受付手段を更に備えていてもよい。この場合、ユーザの心拍が回復したとき、或いは第三者が救命にあたったときに、ユーザ又は第三者の操作によって報知を停止させることができる。
【００１２】
また、報知手段は、報知手段による緊急情報及び最寄りの救命補助装置の位置情報の報知を所定の時間間隔で繰り返し実行してもよい。これにより、周囲への報知を一層確実に実行できる。
【００１３】
また、本発明に係る緊急報知方法は、ユーザの体の一部に装着可能に構成された本体部を備えた緊急報知端末による緊急報知方法であって、本体部の加速度を検出する加速度検出ステップと、加速度の検出結果に基づいて、ユーザが転倒したか否かを判断する転倒判断ステップと、転倒判断ステップにおいてユーザが転倒したと判断された場合に、ユーザの脈拍を検出する脈拍検出ステップと、脈拍の検出結果に基づいて、ユーザに対する救命補助装置の使用の要否を判断する要否判断ステップと、要否判断ステップにおいてユーザに対する救命補助装置の使用が必要と判断された場合に、救命補助装置の位置情報が予め登録された登録サーバに対し、本体部の位置情報を送信する位置情報送信ステップと、本体部の位置情報の送信に応じて、最寄りの救命補助装置の位置情報を登録サーバから受信する位置情報受信ステップと、ユーザに対する救命補助装置の使用が必要である旨の緊急情報、及び最寄りの救命補助装置の位置情報を周囲に報知する報知ステップと、を備える。
【００１４】
この緊急報知方法では、ユーザの転倒と転倒時の脈拍とに基づいて救命補助装置の使用の要否を判断する。緊急報知端末の本体部は、ユーザの体の一部に装着可能に構成されているので、転倒及び脈拍の検出を迅速に事項でき、ユーザに対する救命補助装置の使用の要否を速やかに判断できる。また、救命補助装置の使用が必要な場合には、緊急情報と最寄りの救命補助装置の位置情報とを周囲に報知するので、周囲の第三者がその場で緊急事態の発生及び救命補助装置の位置を把握できる。
【発明の効果】
【００１５】
本発明によれば、救命の要否を迅速に判断でき、かつ周囲への報知力を十分に確保できる。
【図面の簡単な説明】
【００１６】
【図１】本発明に係る緊急報知端末の一実施形態を示す図である。
【図２】図１に示した緊急報知端末の機能的な構成要素を示すブロック図である。
【図３】救命補助装置データベースに格納される情報の一例を示す図である。
【図４】図１に示した緊急報知端末の動作を示すフローチャートである。
【発明を実施するための形態】
【００１７】
以下、図面を参照しながら、本発明に係る緊急報知端末及び緊急報知方法の好適な実施形態について詳細に説明する。
【００１８】
図１は、本発明に係る緊急報知端末の一実施形態を示す図である。同図に示すように、緊急報知端末１は、ネックレス型のウェアラブル端末として構成され、例えばユーザＶの首部に装着可能な環状の本体部１０を備えている。この緊急報知端末１は、装着者であるユーザＶが心停止等の緊急事態に陥ってしまった場合に、周囲に対して緊急事態を報知して救助を促す機能を有している。以下、緊急報知端末１の各構成要素について詳細に説明する。
【００１９】
図２は、緊急報知端末１の機能的な構成要素を示すブロック図である。同図に示すように、緊急報知端末１は、加速度センサ（加速度検出手段）１０１と、脈拍センサ（脈拍検出手段）１０２と、位置情報取得部（位置情報取得手段）１０３と、転倒判断部（転倒判断手段）１０４と、要否判断部（要否判断手段）１０５と、位置情報送信部（位置情報送信手段）１０６と、位置情報受信部（位置情報受信手段）１０７と、報知部（報知手段）１０８と、停止受付部（停止受付手段）１０９とを備えている。
【００２０】
また、緊急報知端末１は、ネットワークＮを介し、登録サーバ２と相互に情報通信可能に接続されている。登録サーバ２は、例えば救命補助装置を製造販売する事業者によって管理されるサーバであり、救命補助装置に関する情報が登録されている。登録サーバ２は、位置情報受信部２０１と、位置情報送信部２０２と、救命補助装置データベース２０３とを備えている。
【００２１】
まず、緊急報知端末１側の構成要素を説明する。加速度センサ１０１は、緊急報知端末１における本体部１０の加速度を検出する部分である。加速度センサ１０１は、例えば本体部１０の水平方向及び垂直方向の加速度をそれぞれ常時検出し、検出結果を転倒判断部１０４に出力する。脈拍センサ１０２は、ユーザＶの脈拍を検出する部分であり、パルスセンサ或いは心臓鼓動計によって構成されている。脈拍センサ１０２は、転倒判断部１０４から脈拍の検出を指示する旨の指示情報を受け取った場合に、ユーザＶの脈拍を検出し、検出結果を要否判断部１０５に出力する。
【００２２】
位置情報取得部１０３は、緊急報知端末１における本体部１０の位置を取得する部分であり、例えばＧＰＳモジュールによって構成されている。位置情報取得部１０３は、位置情報送信部１０６から位置情報の取得を指示する旨の指示情報を受け取った場合に、本体部１０の位置情報を取得し、位置情報送信部１０６に出力する。
【００２３】
転倒判断部１０４は、加速度センサ１０１の検出結果に基づいて、ユーザＶが転倒したか否かを判断する部分である。転倒判断部１０４は、例えば本体部１０の水平方向及び垂直方向の加速度のそれぞれについての閾値を保有し、本体部１０の水平方向及び垂直方向の加速度の少なくとも一方が閾値以下であった場合は、ユーザＶが転倒していないと判断し、本体部１０の水平方向及び垂直方向の加速度の双方が閾値を超えた場合は、ユーザＶが転倒したと判断する。転倒判断部１０４は、ユーザＶが転倒したと判断した場合に、判断結果を示す判断結果情報を要否判断部１０５に出力する。
【００２４】
要否判断部１０５は、転倒判断部１０４によってユーザＶが転倒したと判断された場合に、脈拍センサ１０２の検出結果に基づいて、ユーザＶに対する救命補助装置の使用の要否を判断する部分である。より具体的には、要否判断部１０５は、転倒判断部１０４から判断結果情報を受け取った場合に、脈拍センサ１０２に対して脈拍の検出を指示する旨の指示情報を出力する。
【００２５】
要否判断部１０５は、例えば所定時間当たりの脈拍数についての閾値を保有し、脈拍数が閾値を超えている場合は、ユーザＶに対する救命補助装置の使用は不要と判断し、脈拍数が閾値以下である場合は、ユーザＶに対する救命補助装置の使用が必要と判断する。要否判断部１０５は、ユーザＶに対する救命補助装置の使用が必要と判断した場合に、判断結果を示す判断結果情報を位置情報送信部１０６に出力する。また、要否判断部１０５は、判断結果を示す判断結果情報を報知部１０８にも併せて出力する。
【００２６】
また、要否判断部１０５は、初めの判断結果の出力後、例えば所定の時間間隔で脈拍センサ１０２に対して脈拍の検出を指示する旨の指示情報を繰り返し出力する。そして、要否判断部１０５は、ユーザＶに対する救命補助装置の使用の要否の判断を継続的に実行し、ユーザＶに対する救命補助装置の使用が不要になったと判断した場合に、判断結果を示す判断結果情報を報知部１０８に出力する。
【００２７】
位置情報送信部１０６は、要否判断部１０５によってユーザＶに対する救命補助装置の使用が必要と判断された場合に、救命補助装置の位置情報が予め登録された登録サーバ２に対し、本体部１０の位置情報を送信する部分である。より具体的には、位置情報送信部１０６は、要否判断部１０５から判断結果情報を受け取った場合に、位置情報取得部１０３に対して位置情報の取得を指示する旨の指示情報を出力する。位置情報送信部１０６は、指示情報の出力に応じて位置情報取得部１０３から送られた本体部１０の位置情報を受け取り、ネットワークＮを介して登録サーバ２に送信する。
【００２８】
位置情報受信部１０７は、位置情報送信部１０６による本体部１０の位置情報の送信に応じて、最寄りの救命補助装置の位置情報を登録サーバ２から受信する部分である。位置情報受信部１０７は、受信した位置情報を報知部１０８に出力する。
【００２９】
報知部１０８は、ユーザＶに対する救命補助装置の使用が必要である旨の緊急情報、及び最寄りの救命補助装置の位置情報を周囲に報知する部分である。報知部１０８は、例えばスピーカやディスプレイなどによって構成される。報知部１０８は、要否判断部１０５から判断結果情報を受け取った場合に、まず、緊急情報をスピーカ及びディスプレイによって周囲に報知する。また、報知部１０８は、位置情報受信部１０７から最寄りの救命補助装置の位置情報を受け取った場合に、当該位置情報を緊急情報と併せてスピーカ及びディスプレイによって周囲に報知する。
【００３０】
報知部１０８による緊急情報及び最寄りの救命補助装置の位置情報の報知は、例えば所定の時間間隔で繰り返し実行される。報知部１０８は、報知の実行後、要否判断部１０５からユーザＶに対する救命補助装置の使用が不要になった旨の判断情報を受け取った場合に、緊急情報及び最寄りの救命補助装置の位置情報の報知を停止する。また、報知部１０８は、停止受付部１０９から報知の停止を指示する指示情報を受け取った場合にも、緊急情報及び最寄りの救命補助装置の位置情報の報知を停止する。報知部１０８は、報知を停止する場合に、停止条件を周囲に報知するようにしてもよい。
【００３１】
停止受付部１０９は、報知部１０８による緊急情報及び最寄りの救命補助装置の位置情報の報知の停止を受け付ける部分である。停止受付部１０９は、例えば本体部１０に設けられた押ボタンなどによって構成される。停止受付部１０９は、押ボタンが押下げられた場合に、報知の停止を指示する指示情報を報知部１０８に出力する。
【００３２】
次に、登録サーバ２側の構成要素を説明する。位置情報受信部２０１は、緊急報知端末１から本体部１０の位置情報を受信する部分である。位置情報受信部２０１は、受信した本体部１０の位置情報を位置情報送信部２０２に出力する。
【００３３】
位置情報送信部２０２は、最寄りの救命補助装置の位置情報を緊急報知端末１に送信する部分である。位置情報送信部２０２は、位置情報受信部２０１から本体部１０の位置情報を受け取ると、救命補助装置データベース２０３を参照する。図３は、救命補助装置データベース２０３に格納される情報の一例を示す図である。同図に示す例では、救命補助装置データベース２０３には、救命補助装置のＩＤ「ＡＡＡＡ」「ＢＢＢＢ」…と、その位置情報「ＸＸビル１Ｆ（緯度ａ°経度ｂ°）」「ＹＹ駅南口改札（緯度ｃ°経度ｄ°）」…とが関連付けられて格納されている。
【００３４】
位置情報送信部２０２は、本体部１０の位置情報に基づいて救命補助装置データベース２０３内の救命補助装置の位置情報を検索し、最寄りの救命補助装置の位置情報を取得する。そして、位置情報送信部２０２は、取得した最寄りの救命補助装置の位置情報をネットワークＮを介して緊急報知端末１に送信する。
【００３５】
続いて、上述した緊急報知端末１の動作について説明する。図４は、緊急報知端末１の動作を示すフローチャートである。
【００３６】
同図に示すように、緊急報知端末１では、加速度の検出が常時実行され（ステップＳ０１）、ユーザＶが転倒したか否かの判断がなされる（ステップＳ０２）。ユーザＶが転倒していないと判断された場合には、ステップＳ０１に戻り、加速度の検出がなされる。一方、ユーザＶが転倒したと判断された場合、脈拍の検出がなされ（ステップＳ０３）、救命補助装置の使用が必要であるか否かの判断がなされる（ステップＳ０４）。
【００３７】
救命補助装置の使用が不要であると判断された場合、ステップＳ０１に戻り、加速度の検出がなされる。一方、救命補助装置の使用が必要であると判断された場合、登録サーバ２への本体部１０の位置情報の送信がなされる（ステップＳ０５）。そして、本体部１０の位置情報の送信に応じて登録サーバ２から最寄りの救命補助装置の位置情報の受信がなされ（ステップＳ０６）、報知部１０８によって、ユーザＶに対する救命補助装置の使用が必要である旨の緊急情報、及び最寄りの救命補助装置の位置情報の報知がなされる（ステップＳ０７）。なお、ステップＳ０４において、救命補助装置の使用が必要であると判断された場合、最寄りの救命補助装置の位置情報の受信を待たずに緊急情報の報知を先に実行する。
【００３８】
緊急情報及び最寄りの救命補助装置の位置情報の報知は、所定の時間間隔で繰り返し実行される。この後、停止受付部１０９による報知の停止の受け付けがなされたか否か、及び要否判断部１０５によって救命補助装置の使用が不要となったか否かの判断がなされ（ステップＳ０８）、いずれかの条件を満たした場合に報知が停止する（ステップＳ０９）。
【００３９】
以上説明したように、緊急報知端末１では、ユーザＶの転倒と転倒時の脈拍とに基づいて救命補助装置の使用の要否を判断する。緊急報知端末１の本体部１０は、ユーザＶの体の一部に装着可能に構成されているので、転倒及び脈拍の検出を迅速に事項でき、ユーザＶに対する救命補助装置の使用の要否を速やかに判断できる。また、救命補助装置の使用が必要な場合には、緊急情報と最寄りの救命補助装置の位置情報とを周囲に報知するので、周囲の第三者がその場で緊急事態の発生及び救命補助装置の位置を把握できる。
【００４０】
また、緊急報知端末１では、要否判断部１０５によってユーザに対する救命補助装置の使用が必要と判断された場合に、最寄りの救命補助装置の位置情報の報知に先立って緊急情報の報知を実行する。このような処理により、緊急事態の発生を一層速やかに周囲の第三者に報知できる。
【００４１】
また、緊急報知端末１では、報知部１０８によって緊急情報及び最寄りの救命補助装置の位置情報の報知がなされた後、ユーザに対する救命補助装置の使用の要否が再度判断され、ユーザＶに対する救命補助装置の使用が不要になったと判断された場合に報知を停止する。これにより、ユーザＶの心拍が回復したときに、自動的に報知を停止させることができる。
【００４２】
また、緊急報知端末１は、報知部１０８による緊急情報及び最寄りの救命補助装置の位置情報の報知の停止を受け付ける停止受付部１０９を備えている。これにより、ユーザの心拍が回復したとき、或いは第三者が救命にあたったときに、ユーザ又は第三者の操作によって報知を停止させることができる。また、緊急報知端末１では、緊急情報及び最寄りの救命補助装置の位置情報の報知が所定の時間間隔で繰り返し実行される。これにより、周囲への報知を一層確実に実行できる。
【００４３】
本発明は、上記実施形態に限られるものではない。例えば上記実施形態では、緊急報知端末１の本体部１０は、ユーザＶの首部に取り付け可能なネックレス型を例示したが、腕部などの他の部位に取り付け可能な構成であってもよい。また、上記実施形態では、要否判断部１０５によってユーザに対する救命補助装置の使用が必要と判断された場合に本体部１０の位置情報を登録サーバ２に送信しているが、警察署や消防署といった所定の通報先の端末に当該位置情報を同時に送信するようにしてもよい。
【００４４】
また、例えば上記実施形態では、位置情報取得部１０３が位置情報としてＧＰＳ情報を取得することを例示しているが、位置情報取得部１０３がＧＰＳモジュールによる位置情報の取得に失敗した場合に、これに代えて緊急報知端末１の捕捉基地局などから位置情報を取得するようにしてもよい。救命補助装置がユーザＶに使用されたか否かを検出する検出手段（例えば電流計又は電圧計など）を緊急報知端末１に設け、救命補助装置がユーザＶに使用されたことを報知の停止条件に加えてもよい。
【符号の説明】
【００４５】
１…緊急報知端末、２…登録サーバ、１０…本体部、１０１…加速度センサ（加速度検出手段）、１０２…脈拍センサ（脈拍検出手段）、１０３…位置情報取得部（位置情報取得手段）、１０４…転倒判断部（転倒判断手段）、１０５…要否判断部（要否判断手段）、１０６…位置情報送信部（位置情報送信手段）、１０７…位置情報受信部（位置情報受信手段）、１０８…報知部（報知手段）、１０９…停止受付部（停止受付手段）、Ｖ…ユーザ。
【図１】
2015176438.tif 000003
【図２】
2015176438.tif 000004
【図３】
2015176438.tif 000005
【図４】
2015176438.tif 000006